(57)【要約】【課題】携帯端末の表示画面に表示されている映像受信装置の遠隔操作用の操作画面を、映像受信装置におけるイベントの発生に応じて更新することが可能なプログラムを得る。【解決手段】携帯端末６の信号処理部２１は、ＳＴＢ４を遠隔操作するための操作画面を表示部２４に表示する表示処理部４１と、ＷｅｂＳｏｃｋｅｔの接続を確立するための要求信号Ｓ３をＳＴＢ４に送信する送信処理部４４と、携帯端末６とＳＴＢ４との間でＷｅｂＳｏｃｋｅｔの接続が確立された後、所定のイベントの発生に伴ってＳＴＢ４から送信された画面更新情報Ｓ５を受信する受信処理部４３と、表示部２４に表示されている操作画面を、画面更新情報Ｓ５に基づいて更新する更新処理部４２と、を有する。【選択図】図５
2012175606.tif 000002
【特許請求の範囲】
【請求項１】
携帯端末を用いて映像受信装置を遠隔操作するためのプログラムであって、
前記携帯端末に搭載されるコンピュータを、
所定のマークアップ言語で記述された、前記映像受信装置を遠隔操作するための操作画面を、前記携帯端末の表示画面に表示する表示手段と、
プッシュ型通信プロトコルの接続確立要求を前記映像受信装置に送信する送信手段と、
前記携帯端末と前記映像受信装置との間で前記プッシュ型通信プロトコルの接続が確立された後、所定のイベントの発生に伴って前記映像受信装置から送信された画面更新情報を受信する受信手段と、
前記表示画面に表示されている前記操作画面を、前記受信手段が受信した前記画面更新情報に基づいて更新する更新手段と、
として機能させるためのプログラム。
【請求項２】
前記受信手段は、前記映像受信装置から送信された前記画面更新情報を、前記プッシュ型通信プロトコルの通信を用いて受信する、請求項１に記載のプログラム。
【請求項３】
前記コンピュータを、
前記携帯端末と前記映像受信装置との間で前記プッシュ型通信プロトコルの接続が確立されなかった場合に、前記映像受信装置に対して前記画面更新情報を定期的に要求する要求手段
としてさらに機能させるための、請求項２に記載のプログラム。
【請求項４】
前記画面更新情報には、視聴年齢制限を解除するための操作画面情報が含まれる、請求項１〜３のいずれか一つに記載のプログラム。
【請求項５】
前記画面更新情報には、視聴予約又は録画予約された番組の開始を通知するメッセージが含まれる、請求項１〜４のいずれか一つに記載のプログラム。
【請求項６】
携帯端末を用いて映像受信装置を遠隔操作するためのプログラムであって、
前記映像受信装置に搭載されるコンピュータを、
プッシュ型通信プロトコルの接続確立要求を前記携帯端末から受信する受信手段と、
所定のイベントの発生を検出する検出手段と、
前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、
として機能させるためのプログラム。
【請求項７】
映像受信装置を遠隔操作するための携帯端末であって、
信号処理部と、
表示画面と、
を備え、
前記信号処理部は、
所定のマークアップ言語で記述された、前記映像受信装置を遠隔操作するための操作画面を、前記表示画面に表示する表示手段と、
プッシュ型通信プロトコルの接続確立要求を前記映像受信装置に送信する送信手段と、
前記携帯端末と前記映像受信装置との間で前記プッシュ型通信プロトコルの接続が確立された後、所定のイベントの発生に伴って前記映像受信装置から送信された画面更新情報を受信する受信手段と、
前記表示画面に表示されている前記操作画面を、前記受信手段が受信した前記画面更新情報に基づいて更新する更新手段と、
を有する、携帯端末。
【請求項８】
携帯端末を用いて遠隔操作が可能な映像受信装置であって、
映像信号を受信する映像受信部と、
信号処理部と、
を備え、
前記信号処理部は、
プッシュ型通信プロトコルの接続確立要求を前記携帯端末から受信する受信手段と、
前記映像受信部が受信した前記映像信号に基づいて、所定のイベントの発生を検出する検出手段と、
前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、
を有する、映像受信装置。
【請求項９】
映像受信装置と、
前記映像受信装置を遠隔操作するための携帯端末と、
を備え、
前記携帯端末は、
信号処理部と、
表示画面と、
を有し、
前記携帯端末の前記信号処理部は、
所定のマークアップ言語で記述された、前記映像受信装置を遠隔操作するための操作画面を、前記表示画面に表示する表示手段と、
プッシュ型通信プロトコルの接続確立要求を前記映像受信装置に送信する送信手段と、
前記携帯端末と前記映像受信装置との間で前記プッシュ型通信プロトコルの接続が確立された後、所定のイベントの発生に伴って前記映像受信装置から送信された画面更新情報を受信する受信手段と、
前記表示画面に表示されている前記操作画面を、前記受信手段が受信した前記画面更新情報に基づいて更新する更新手段と、
を含み、
前記映像受信装置は、
映像信号を受信する映像受信部と、
信号処理部と、
を有し、
前記映像受信装置の前記信号処理部は、
前記プッシュ型通信プロトコルの接続確立要求を前記携帯端末から受信する受信手段と、
前記映像受信部が受信した前記映像信号に基づいて、所定のイベントの発生を検出する検出手段と、
前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、
を含む、映像受信システム。
【請求項１０】
映像受信装置を遠隔操作するための携帯端末の制御方法であって、
（Ａ）所定のマークアップ言語で記述された、前記映像受信装置を遠隔操作するための操作画面を、前記携帯端末の表示画面に表示するステップと、
（Ｂ）プッシュ型通信プロトコルの接続確立要求を前記映像受信装置に送信するステップと、
（Ｃ）前記携帯端末と前記映像受信装置との間で前記プッシュ型通信プロトコルの接続が確立された後、所定のイベントの発生に伴って前記映像受信装置から送信された画面更新情報を受信するステップと、
（Ｄ）前記表示画面に表示されている前記操作画面を、前記ステップ（Ｃ）で受信した前記画面更新情報に基づいて更新するステップと、
を備える、携帯端末の制御方法。
【請求項１１】
携帯端末を用いて遠隔操作が可能な映像受信装置の制御方法であって、
（Ａ）プッシュ型通信プロトコルの接続確立要求を前記携帯端末から受信するステップと、
（Ｂ）所定のイベントの発生を検出するステップと、
（Ｃ）前記携帯端末と前記映像受信装置との間で前記プッシュ型通信プロトコルの接続が確立された後、前記ステップ（Ｂ）で前記所定のイベントの発生が検出された場合に、前記携帯端末の表示画面に表示されている操作画面を当該イベントの発生に伴って更新するための画面更新情報を、前記携帯端末に送信するステップと、
を備える、映像受信装置の制御方法。
【発明の詳細な説明】
【技術分野】
【０００１】
本発明は、プログラム、携帯端末、映像受信装置、映像受信システム、携帯端末の制御方法、及び映像受信装置の制御方法に関する。
【背景技術】
【０００２】
下記特許文献１には、操作マニュアルに印刷されたＱＲコードをカメラ付き携帯電話によって読み取ることにより、携帯電話をテレビのリモコンとして使用する情報処理システムが開示されている。携帯電話は、テレビの電源をオンするための制御信号や音量を調整するための制御信号を赤外線通信によって送信し、テレビは、携帯電話から受信したこれらの制御信号に従って動作する。
【先行技術文献】
【特許文献】
【０００３】
【特許文献１】特許第４２８３１０２号公報
【発明の概要】
【発明が解決しようとする課題】
【０００４】
携帯端末を映像受信装置のリモコンとして使用する場合には、携帯端末の表示画面に表示されているリモコンの操作画面を、コンテンツの受信状況等に応じて変更したい場面が生じ得る。例えば、視聴年齢制限が設定されたコンテンツを視聴する場合に、制限を解除するためのパスワード入力画面を、携帯端末の表示画面に表示したい状況が想定される。
【０００５】
しかしながら、上記特許文献１に開示された情報処理システムによると、携帯電話に表示された映像受信装置の遠隔操作用の操作画面を変更することについては対策がとられていない。仮に、パスワード入力画面を記述したＱＲコードを準備し、視聴年齢制限が設定されたコンテンツを視聴するためにパスワード入力画面を表示させる場合に当該ＱＲコードを携帯電話によって読み取ることとしても、ユーザは操作画面の変更の度にＱＲコードを読み取る必要があり、その作業が煩雑である。
【０００６】
本発明はかかる事情に鑑みて成されたものであり、携帯端末の表示画面に表示されている映像受信装置の遠隔操作用の操作画面を、当該映像受信装置におけるイベントの発生に応じて更新することが可能な、プログラム、携帯端末、映像受信装置、映像受信システム、携帯端末の制御方法、及び映像受信装置の制御方法を得ることを目的とするものである。
【課題を解決するための手段】
【０００７】
本発明の第１の態様に係るプログラムは、携帯端末を用いて映像受信装置を遠隔操作するためのプログラムであって、前記携帯端末に搭載されるコンピュータを、所定のマークアップ言語で記述された、前記映像受信装置を遠隔操作するための操作画面を、前記携帯端末の表示画面に表示する表示手段と、プッシュ型通信プロトコルの接続確立要求を前記映像受信装置に送信する送信手段と、前記携帯端末と前記映像受信装置との間で前記プッシュ型通信プロトコルの接続が確立された後、所定のイベントの発生に伴って前記映像受信装置から送信された画面更新情報を受信する受信手段と、前記表示画面に表示されている前記操作画面を、前記受信手段が受信した前記画面更新情報に基づいて更新する更新手段と、として機能させることを特徴とするものである。
【０００８】
第１の態様に係るプログラムによれば、受信手段は、所定のイベントの発生に伴って映像受信装置から送信された画面更新情報を受信し、更新手段は、表示画面に表示されている操作画面を、受信手段が受信した画面更新情報に基づいて更新する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【０００９】
本発明の第２の態様に係るプログラムは、第１の態様に係るプログラムにおいて特に、前記受信手段は、前記映像受信装置から送信された前記画面更新情報を、前記プッシュ型通信プロトコルの通信を用いて受信することを特徴とするものである。
【００１０】
第２の態様に係るプログラムによれば、受信手段は、映像受信装置から送信された画面更新情報を、プッシュ型通信プロトコルの通信を用いて受信する。プル型通信プロトコルでは、映像受信装置は、携帯端末からの要求を受けて画面更新情報を送信するため、イベントが発生してから要求を受けるまでの間、画面更新情報は送信されない。従って、イベントの発生タイミングと画面更新情報の送信タイミングとの間にタイムラグが発生する。一方、プッシュ型通信では、映像受信装置は、イベントが発生した場合に携帯端末からの要求を待たずに画面更新情報を送信する。従って、イベントの発生タイミングと画面更新情報の送信タイミングとの間にタイムラグは発生しない。第２の態様に係るプログラムによれば、映像受信装置は、画面更新情報をプッシュ型通信によって送信し、携帯端末の受信手段はこれを受信する。従って、映像受信装置は、画面更新情報を携帯端末に遅滞なく送信することが可能となり、その結果、携帯端末は、表示画面に表示されている操作画面を遅滞なく更新することが可能となる。しかも、プル型通信プロトコルでは、イベントの発生の有無に拘わらず、携帯端末から映像受信装置への定期的な画面更新情報の要求が必要となるが、プッシュ型通信プロトコルではこのような定期的な要求は不要であるため、携帯端末と映像受信装置との間の通信トラフィックを軽減することが可能となる。
【００１１】
本発明の第３の態様に係るプログラムは、第２の態様に係るプログラムにおいて特に、前記コンピュータを、前記携帯端末と前記映像受信装置との間で前記プッシュ型通信プロトコルの接続が確立されなかった場合に、前記映像受信装置に対して前記画面更新情報を定期的に要求する要求手段としてさらに機能させることを特徴とするものである。
【００１２】
第３の態様に係るプログラムによれば、要求手段は、携帯端末と映像受信装置との間でプッシュ型通信プロトコルの接続が確立されなかった場合に、映像受信装置に対して画面更新情報を定期的に要求する。これにより、映像受信装置がプッシュ型通信プロトコルに対応していない場合であっても、プル型通信によって携帯端末が映像受信装置に対して画面更新情報を定期的に要求することにより、携帯端末は映像受信装置から画面更新情報を受信することが可能となる。
【００１３】
本発明の第４の態様に係るプログラムは、第１〜第３のいずれか一つの態様に係るプログラムにおいて特に、前記画面更新情報には、視聴年齢制限を解除するための操作画面情報が含まれることを特徴とするものである。
【００１４】
第４の態様に係るプログラムによれば、画面更新情報には、視聴年齢制限を解除するための操作画面情報が含まれる。従って、視聴年齢制限が設定されているコンテンツを映像受信装置が受信した場合に、パスワード入力画面等を含む操作画面情報を映像受信装置から携帯端末に送信することにより、携帯端末の表示画面にパスワード入力画面等を表示させることが可能となる。
【００１５】
本発明の第５の態様に係るプログラムは、第１〜第４のいずれか一つの態様に係るプログラムにおいて特に、前記画面更新情報には、視聴予約又は録画予約された番組の開始を通知するメッセージが含まれることを特徴とするものである。
【００１６】
第５の態様に係るプログラムによれば、画面更新情報には、視聴予約又は録画予約された番組の開始を通知するメッセージが含まれる。従って、視聴予約又は録画予約された番組の開始時又はその直前に、当該番組の開始を通知するメッセージを含む画面更新情報を映像受信装置から携帯端末に送信することにより、携帯端末の表示画面に当該メッセージを表示させることが可能となる。
【００１７】
本発明の第６の態様に係るプログラムは、携帯端末を用いて映像受信装置を遠隔操作するためのプログラムであって、前記映像受信装置に搭載されるコンピュータを、プッシュ型通信プロトコルの接続確立要求を前記携帯端末から受信する受信手段と、所定のイベントの発生を検出する検出手段と、前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、として機能させることを特徴とするものである。
【００１８】
第６の態様に係るプログラムによれば、送信手段は、検出手段が所定のイベントの発生を検出した場合に、携帯端末の表示画面に表示されている操作画面を当該イベントの発生に伴って更新するための画面更新情報を、携帯端末に送信する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【００１９】
本発明の第７の態様に係る携帯端末は、映像受信装置を遠隔操作するための携帯端末であって、信号処理部と、表示画面と、を備え、前記信号処理部は、所定のマークアップ言語で記述された、前記映像受信装置を遠隔操作するための操作画面を、前記表示画面に表示する表示手段と、プッシュ型通信プロトコルの接続確立要求を前記映像受信装置に送信する送信手段と、前記携帯端末と前記映像受信装置との間で前記プッシュ型通信プロトコルの接続が確立された後、所定のイベントの発生に伴って前記映像受信装置から送信された画面更新情報を受信する受信手段と、前記表示画面に表示されている前記操作画面を、前記受信手段が受信した前記画面更新情報に基づいて更新する更新手段と、を有することを特徴とするものである。
【００２０】
第７の態様に係る携帯端末によれば、受信手段は、所定のイベントの発生に伴って映像受信装置から送信された画面更新情報を受信し、更新手段は、表示画面に表示されている操作画面を、受信手段が受信した画面更新情報に基づいて更新する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【００２１】
本発明の第８の態様に係る映像受信装置は、携帯端末を用いて遠隔操作が可能な映像受信装置であって、映像信号を受信する映像受信部と、信号処理部と、を備え、前記信号処理部は、プッシュ型通信プロトコルの接続確立要求を前記携帯端末から受信する受信手段と、前記映像受信部が受信した前記映像信号に基づいて、所定のイベントの発生を検出する検出手段と、前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、を有することを特徴とするものである。
【００２２】
第８の態様に係る映像受信装置によれば、送信手段は、検出手段が所定のイベントの発生を検出した場合に、携帯端末の表示画面に表示されている操作画面を当該イベントの発生に伴って更新するための画面更新情報を、携帯端末に送信する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【００２３】
本発明の第９の態様に係る映像受信システムは、映像受信装置と、前記映像受信装置を遠隔操作するための携帯端末と、を備え、前記携帯端末は、信号処理部と、表示画面と、を有し、前記携帯端末の前記信号処理部は、所定のマークアップ言語で記述された、前記映像受信装置を遠隔操作するための操作画面を、前記表示画面に表示する表示手段と、プッシュ型通信プロトコルの接続確立要求を前記映像受信装置に送信する送信手段と、前記携帯端末と前記映像受信装置との間で前記プッシュ型通信プロトコルの接続が確立された後、所定のイベントの発生に伴って前記映像受信装置から送信された画面更新情報を受信する受信手段と、前記表示画面に表示されている前記操作画面を、前記受信手段が受信した前記画面更新情報に基づいて更新する更新手段と、を含み、前記映像受信装置は、映像信号を受信する映像受信部と、信号処理部と、を有し、前記映像受信装置の前記信号処理部は、前記プッシュ型通信プロトコルの接続確立要求を前記携帯端末から受信する受信手段と、前記映像受信部が受信した前記映像信号に基づいて、所定のイベントの発生を検出する検出手段と、前記携帯端末と前記映像受信装置との間で前記プッシュ型通信プロトコルの接続が確立された後、前記検出手段が前記所定のイベントの発生を検出した場合に、前記携帯端末の表示画面に表示されている操作画面を当該イベントの発生に伴って更新するための画面更新情報を、前記携帯端末に送信する送信手段と、を含むことを特徴とするものである。
【００２４】
第９の態様に係る映像受信システムによれば、映像受信装置において、送信手段は、検出手段が所定のイベントの発生を検出した場合に、携帯端末の表示画面に表示されている操作画面を当該イベントの発生に伴って更新するための画面更新情報を、携帯端末に送信する。また、携帯端末において、受信手段は、映像受信装置から送信された画面更新情報を受信し、更新手段は、表示画面に表示されている操作画面を、受信手段が受信した画面更新情報に基づいて更新する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【００２５】
本発明の第１０の態様に係る携帯端末の制御方法は、映像受信装置を遠隔操作するための携帯端末の制御方法であって、（Ａ）所定のマークアップ言語で記述された、前記映像受信装置を遠隔操作するための操作画面を、前記携帯端末の表示画面に表示するステップと、（Ｂ）プッシュ型通信プロトコルの接続確立要求を前記映像受信装置に送信するステップと、（Ｃ）前記携帯端末と前記映像受信装置との間で前記プッシュ型通信プロトコルの接続が確立された後、所定のイベントの発生に伴って前記映像受信装置から送信された画面更新情報を受信するステップと、（Ｄ）前記表示画面に表示されている前記操作画面を、前記ステップ（Ｃ）で受信した前記画面更新情報に基づいて更新するステップと、を備えることを特徴とするものである。
【００２６】
第１０の態様に係る携帯端末の制御方法によれば、受信手段は、所定のイベントの発生に伴って映像受信装置から送信された画面更新情報を受信し、ステップ（Ｄ）では、表示画面に表示されている操作画面を、ステップ（Ｃ）で受信した画面更新情報に基づいて更新する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【００２７】
本発明の第１１の態様に係る映像受信装置の制御方法は、携帯端末を用いて遠隔操作が可能な映像受信装置の制御方法であって、（Ａ）プッシュ型通信プロトコルの接続確立要求を前記携帯端末から受信するステップと、（Ｂ）所定のイベントの発生を検出するステップと、（Ｃ）前記携帯端末と前記映像受信装置との間で前記プッシュ型通信プロトコルの接続が確立された後、前記ステップ（Ｂ）で前記所定のイベントの発生が検出された場合に、前記携帯端末の表示画面に表示されている操作画面を当該イベントの発生に伴って更新するための画面更新情報を、前記携帯端末に送信するステップと、を備えることを特徴とするものである。
【００２８】
第１１の態様に係る映像受信装置の制御方法によれば、ステップ（Ｃ）では、ステップ（Ｂ）で所定のイベントの発生が検出された場合に、携帯端末の表示画面に表示されている操作画面を当該イベントの発生に伴って更新するための画面更新情報を、携帯端末に送信する。従って、映像受信装置において所定のイベントが発生した場合に、携帯端末の表示画面に表示されている操作画面を当該イベントに応じて更新することが可能となる。また、携帯端末と映像受信装置との間には、プッシュ型通信プロトコルの接続が確立されている。そのため、映像受信装置においてイベントが発生した場合には、映像受信装置は、プッシュ型通信によって画面更新情報を携帯端末に送信することが可能となる。
【発明の効果】
【００２９】
本発明によれば、携帯端末の表示画面に表示されている操作画面を、映像受信装置におけるイベントの発生に応じて更新することが可能となる。
【図面の簡単な説明】
【００３０】
【図１】本発明の実施の形態に係る映像配信システムの全体構成を示す図である。
【図２】ＳＴＢのハードウェア構成を簡略化して示す図である。
【図３】プログラムを実行することによって信号処理部に実現される機能を簡略化して示す図である。
【図４】携帯端末のハードウェア構成を簡略化して示す図である。
【図５】プログラムを実行することによって信号処理部に実現される機能を簡略化して示す図である。
【図６】携帯端末とＳＴＢとの間における信号送受信の第１の例を示す図である。
【図７】携帯端末とＳＴＢとの間における信号送受信の第２の例を示す図である。
【発明を実施するための形態】
【００３１】
以下、本発明の実施の形態について、図面を用いて詳細に説明する。なお、異なる図面において同一の符号を付した要素は、同一又は相応する要素を示すものとする。
【００３２】
図１は、本発明の実施の形態に係る映像配信システム１の全体構成を示す図である。図１に示すように映像配信システム１は、映像配信装置としてのサーバ２と、ＩＰ（Internet Protocol）ネットワーク等の通信ネットワーク３と、映像受信装置としてのＳＴＢ（Set Top Box）４と、液晶表示装置等のテレビ５と、ＳＴＢ４を遠隔操作するためのリモコンとして用いられる携帯端末６とを備えて構成されている。携帯端末６は、携帯電話、ＰＤＡ（Personal Digital Assistant）、又はＳＴＢ４に付属する専用リモコン等である。映像受信装置としてのＳＴＢ４と、ＳＴＢ４を遠隔操作するための携帯端末６とによって、映像受信システムが構成される。なお、ＳＴＢ４の機能がテレビ５に内蔵されていてもよく、この場合はテレビ５が映像受信装置として機能する。
【００３３】
サーバ２は、通信ネットワーク３を介してＳＴＢ４にコンテンツの映像信号を送信する。ＳＴＢ４は、受信した映像信号に対してデコード等の処理を行って、当該処理後の映像信号をテレビ５に送信する。これにより、テレビ５において映像が再生される。
【００３４】
図２は、ＳＴＢ４のハードウェア構成を簡略化して示す図である。図２に示すようにＳＴＢ４は、ＣＰＵ（Central Processing Unit）等の信号処理部１１と、通信ネットワーク３及びテレビ５との間で通信を行う通信部１２と、携帯端末６との間で無線通信を行う通信部１３と、半導体メモリ又はハードディスク等の記憶部１４とを備えて構成されている。記憶部１４には、携帯端末６を用いてＳＴＢ４を遠隔操作するためにＳＴＢ４を制御するプログラム１５が記憶されている。プログラム１５は、ＣＤ−ＲＯＭ等の任意の記録媒体１６に記録されており、記録媒体１６から読み出されて記憶部１４に格納される。あるいは、プログラム１５を提供する所定のウェブサイト等からダウンロードして記憶部１４に格納してもよい。
【００３５】
図３は、プログラム１５を実行することによって信号処理部１１に実現される機能を簡略化して示す図である。図３に示すように信号処理部１１は、映像処理部３１、検出処理部３２（検出手段）、受信処理部３３（受信手段）、送信処理部３４（送信手段）、及び画面処理部３５を有する。換言すれば、プログラム１５は、ＳＴＢ４に搭載されるコンピュータを、映像処理部３１、検出処理部３２、受信処理部３３、送信処理部３４、及び画面処理部３５として機能させるためのプログラムである。
【００３６】
図４は、携帯端末６のハードウェア構成を簡略化して示す図である。図６に示すように携帯端末６は、ＣＰＵ等の信号処理部２１と、ＳＴＢ４との間で無線通信を行う通信部２２と、半導体メモリ等の記憶部２３と、液晶表示画面等の表示部２４とを備えて構成されている。記憶部１４には、携帯端末６を用いてＳＴＢ４を遠隔操作するために携帯端末６を制御するプログラム２５が記憶されている。プログラム２５は、ＣＤ−ＲＯＭ等の任意の記録媒体２６に記録されており、記録媒体２６から読み出されて記憶部２３に格納される。あるいは、プログラム２５を提供する所定のウェブサイト等からダウンロードして記憶部２３に格納してもよい。
【００３７】
図５は、プログラム２５を実行することによって信号処理部２１に実現される機能を簡略化して示す図である。図５に示すように信号処理部２１は、表示処理部４１（表示手段）、更新処理部４２（更新手段）、受信処理部４３（受信手段）、送信処理部４４（送信手段）、及び要求処理部４５（要求手段）を有する。換言すれば、プログラム２５は、携帯端末６に搭載されるコンピュータを、表示処理部４１、更新処理部４２、受信処理部４３、送信処理部４４、及び要求処理部４５として機能させるためのプログラムである。
【００３８】
図６は、携帯端末６とＳＴＢ４との間における信号送受信の第１の例を示す図である。図６では、ＳＴＢ４がプッシュ型通信プロトコル（本実施の形態ではＷｅｂＳｏｃｋｅｔを用いる）に対応している場合の例を示している。ＳＴＢ４においてプログラム１５が起動され、携帯端末６においてプログラム２５が起動されることにより、処理が開始される。
【００３９】
まず携帯端末６は、送信処理部４４によって、ＨＴＴＰ（HyperText Transfer Protocol）通信の接続を確立するための要求信号Ｓ１を通信部２２からＳＴＢ４に向けて送信する。
【００４０】
ＳＴＢ４は、受信処理部３３によって、要求信号Ｓ１を通信部１３を介して受信する。要求信号Ｓ１を受信したＳＴＢ４は、送信処理部３４によって、応答信号Ｓ２を通信部１３から携帯端末６に向けて送信する。携帯端末６は、受信処理部４３によって、応答信号Ｓ２を通信部２２を介して受信する。これにより、携帯端末６とＳＴＢ４との間でＨＴＴＰ通信の接続が確立される。
【００４１】
ＳＴＢ４は、ＨＴＭＬ（HyperText Markup Language）等の所定のマークアップ言語で記述された文書を画面処理部３５に保持している。ＳＴＢ４は、ＨＴＴＰ通信の接続が確立された後に、送信処理部３４によって、基本操作画面（上下左右キー、決定ボタン、戻るボタン等の、リモコンとして用いるための基本となる操作ボタンが表示された操作画面）のＨＴＭＬ文書を通信部１３から携帯端末６に向けて送信する。携帯端末６は、受信処理部４３によって、当該ＨＴＭＬ文書を通信部２２を介して受信する。当該ＨＴＭＬ文書を受信した携帯端末６は、ＨＴＭＬブラウザ機能を有する表示処理部４１によって、受信処理部４３が受信した基本操作画面のＨＴＭＬ文書を表示部２４に表示する。なお、基本操作画面のＨＴＭＬ文書は、ＳＴＢ４から携帯端末６に送信するのではなく、予め携帯端末６が保持しておいてもよい。
【００４２】
次に携帯電話６は、送信処理部４４によって、ＷｅｂＳｏｃｋｅｔの接続を確立するための要求信号Ｓ３を通信部２２からＳＴＢ４に向けて送信する。
【００４３】
ＳＴＢ４は、受信処理部３３によって、要求信号Ｓ３を通信部１３を介して受信する。要求信号Ｓ３を受信したＳＴＢ４は、送信処理部３４によって、応答信号Ｓ４を通信部１３から携帯端末６に向けて送信する。携帯端末６は、受信処理部４３によって、応答信号Ｓ４を通信部２２を介して受信する。これにより、携帯端末６とＳＴＢ４との間でＷｅｂＳｏｃｋｅｔの接続が確立される。ＷｅｂＳｏｃｋｅｔにおいては、一旦接続が確立されると、携帯端末６及びＳＴＢ４の一方から接続を終了するための要求信号が送信されない限り、たとえ両者間で信号の送受信がなくても接続は維持される。
【００４４】
ＷｅｂＳｏｃｋｅｔの接続が確立された後、ＳＴＢ４は、検出処理部３２によって、リモコンの操作画面を変更すべき事象（イベント）の発生を監視する。
【００４５】
例えば、ある時間帯に視聴年齢制限が設定されていないコンテンツが放送されており、次の時間帯に視聴年齢制限が設定されている別のコンテンツが放送されている場合を想定する。また、ＳＴＢ４に接続されているテレビ５は、デフォルトでは視聴年齢制限が設定されたコンテンツを視聴できない設定になっているものとする。ＳＴＢ４は、通信部１２（映像受信部）によって、サーバ２から送信されたコンテンツの映像信号を受信する。そして、映像処理部３１によって、受信した映像信号に対してデコード等の処理を行い、各コンテンツに関して視聴年齢制限の設定の有無（又は制限の内容）を監視している。本実施の形態においては、視聴年齢制限が設定されているコンテンツをテレビ５で視聴するためにはパスワードの入力が要求され、ユーザがパスワードを入力するためのパスワード入力画面を携帯端末６の表示部２４に表示する。そこでＳＴＢ４は、検出処理部３２によって、視聴年齢制限が設定されているコンテンツの受信が開始されてパスワード入力画面をリモコンに表示する必要が生じたことを、イベントの発生として検出する。
【００４６】
また例えば、ユーザによってある特定の番組が視聴予約又は録画予約された場合を想定する。視聴予約又は録画予約の設定情報はＳＴＢ４によって保持される。本実施の形態においては、視聴予約又は録画予約されたコンテンツの開始時又はその直前（例えば数分前）に、当該コンテンツの開始をユーザに通知するための所定の開始通知メッセージを携帯端末６の表示部２４に表示する。そこでＳＴＢ４は、検出処理部３２によって、視聴予約又は録画予約されたコンテンツが開始されたこと又は開始時刻が近付いたことを、イベントの発生として検出する。
【００４７】
ＳＴＢ４は、検出処理部３２によってイベントの発生を検出すると、送信処理部３４によって、リモコンの操作画面を更新するための画面更新情報Ｓ５を通信部１３から携帯端末６に向けて送信する。画面更新情報Ｓ５は、パスワード入力画面や開始通知メッセージを含む操作画面全体のＨＴＭＬ文書であってもよいし、ＪＳＯＮ（JavaScript Object Notation）を用いて基本操作画面の一部にパスワード入力画面や開始通知メッセージを追加する態様であってもよい。
【００４８】
また、本実施の形態において、ＳＴＢ４は、イベントの発生を検出すると、ＷｅｂＳｏｃｋｅｔのプッシュ型通信によって画面更新情報Ｓ５を携帯端末６に向けて送信する。携帯端末６は、受信処理部４３によって、画面更新情報Ｓ５を通信部２２を介して受信する。画面更新情報Ｓ５を受信した携帯端末６は、更新処理部４２によって、表示部２４に表示されている基本操作画面を、画面更新情報Ｓ５に基づいてパスワード入力画面や開始通知メッセージを含む操作画面に更新する。なお、ＳＴＢ４から携帯端末６に向けての画面更新情報Ｓ５の送信は、ＨＴＴＰのプル型通信によって行ってもよい。例えば、ＳＴＢ４がイベントの発生を検出するとその旨を通知するメッセージを携帯端末６に送信し、当該メッセージを受信した携帯端末６が画面更新情報Ｓ５の要求信号をＳＴＢ４に送信し、当該要求信号を受信したＳＴＢ４が画面更新情報Ｓ５を携帯端末６に送信する。
【００４９】
図７は、携帯端末６とＳＴＢ４との間における信号送受信の第２の例を示す図である。図７では、ＳＴＢ４がＷｅｂＳｏｃｋｅｔに対応していない場合の例を示している。以下、図６に示した第１の例との相違点を中心に説明する。
【００５０】
まず携帯端末６は、送信処理部４４によって要求信号Ｓ１をＳＴＢ４に向けて送信する。
【００５１】
ＳＴＢ４は、受信処理部３３によって要求信号Ｓ１を受信する。要求信号Ｓ１を受信したＳＴＢ４は、送信処理部３４によって応答信号Ｓ２を携帯端末６に向けて送信する。携帯端末６は、受信処理部４３によって応答信号Ｓ２を受信する。これにより、携帯端末６とＳＴＢ４との間でＨＴＴＰ通信の接続が確立される。
【００５２】
ＳＴＢ４は、ＨＴＴＰ通信の接続が確立された後に、送信処理部４４によって基本操作画面のＨＴＭＬ文書を携帯端末６に向けて送信する。携帯端末６は、受信処理部４３によって当該ＨＴＭＬ文書を受信する。当該ＨＴＭＬ文書を受信した携帯端末６は、表示処理部４１によって基本操作画面を表示部２４に表示する。
【００５３】
次に携帯端末６は、送信処理部４４によって、ＷｅｂＳｏｃｋｅｔの接続を確立するための要求信号Ｓ３をＳＴＢ４に向けて送信する。
【００５４】
ＳＴＢ４は、受信処理部３３によって要求信号Ｓ３を通信部１３を介して受信する。要求信号Ｓ３を受信したＳＴＢ４は、自身がＷｅｂＳｏｃｋｅｔに対応していないため、図６に示した応答信号Ｓ４を携帯端末６に向けて送信しない。携帯端末６は、要求信号Ｓ３を送信してから所定時間内にＳＴＢ４から応答信号Ｓ４を受信しないことにより、ＳＴＢ４がＷｅｂＳｏｃｋｅｔに対応していないと判定する。
【００５５】
この場合携帯端末６は、要求処理部４５によって、画面更新情報Ｓ５を要求するための要求信号Ｓ７１，Ｓ７２，Ｓ７３，Ｓ７４，・・・を通信部２２からＳＴＢ４に向けて送信する。要求信号Ｓ７１，Ｓ７２，Ｓ７３，Ｓ７４，・・・は、ＨＴＴＰ通信によって携帯端末６から定期的（例えば数分乃至数十分間隔）に送信される。
【００５６】
ＳＴＢ４は、受信処理部３３によって、要求信号Ｓ７１，Ｓ７２，Ｓ７３，Ｓ７４，・・・を通信部１３を介して受信する。上記のとおりＳＴＢ４は、検出処理部３２によってイベントの発生を監視している。ＳＴＢ４は、ある要求信号を受信した時点でイベントの発生が検出されていない場合には、その要求信号に対しては画面更新情報Ｓ５を送信せず、検出処理部３２がイベントの発生を検出した後に最初に受信した要求信号に応答して、送信処理部３４によって画面更新情報Ｓ５を携帯端末６に向けて送信する。図７に示した例では、要求信号Ｓ７２を受信した後にイベントの発生が検出されており、次の要求信号Ｓ７３に応答して画面更新情報Ｓ５が送信されている。
【００５７】
携帯端末６は、受信処理部４３によって画面更新情報Ｓ５を受信すると、更新処理部４２によってリモコンの操作画面を更新する。
【００５８】
このように本実施の形態に係る映像受信システム（又はＳＴＢ４、携帯端末６、プログラム１５，２５、ＳＴＢ４の制御方法、携帯端末６の制御方法）によれば、ＳＴＢ４において、送信処理部３４は、検出処理部３２が所定のイベントの発生を検出した場合に、携帯端末６の表示部２４に表示されている操作画面を当該イベントの発生に伴って更新するための画面更新情報Ｓ５を、携帯端末６に向けて送信する。また、携帯端末６において、受信処理部４３は、ＳＴＢ４から送信された画面更新情報Ｓ５を受信し、更新処理部４２は、表示部２４に表示されている操作画面を、受信処理部４３が受信した画面更新情報Ｓ５に基づいて更新する。従って、ＳＴＢ４において所定のイベントが発生した場合に、携帯端末６の表示部２４に表示されている操作画面を当該イベントに応じて更新することが可能となる。また、携帯端末６とＳＴＢ４との間には、ＷｅｂＳｏｃｋｅｔの接続が確立されている。そのため、ＳＴＢ４においてイベントが発生した場合には、ＳＴＢ４は、ＷｅｂＳｏｃｋｅｔのプッシュ型通信によって画面更新情報Ｓ５を携帯端末６に向けて送信することが可能となる。
【００５９】
また、本実施の形態に係る映像受信システムによれば、受信処理部４３は、ＳＴＢ４から送信された画面更新情報Ｓ５を、ＷｅｂＳｏｃｋｅｔのプッシュ型通信を用いて受信する。プル型通信プロトコルでは、ＳＴＢ４は、携帯端末６からの要求を受けて画面更新情報Ｓ５を送信するため、イベントが発生してから要求を受けるまでの間、画面更新情報Ｓ５は送信されない。従って、イベントの発生タイミングと画面更新情報Ｓ５の送信タイミングとの間にタイムラグが発生する（図７参照）。一方、プッシュ型通信では、ＳＴＢ４は、イベントが発生した場合に携帯端末６からの要求を待たずに画面更新情報Ｓ５を自発的に送信する。従って、イベントの発生タイミングと画面更新情報Ｓ５の送信タイミングとの間にタイムラグは発生しない。本実施の形態に係る映像受信システムによれば、ＳＴＢ４は、画面更新情報Ｓ５をプッシュ型通信によって送信し、携帯端末６の受信処理部４３はこれを受信する。従って、ＳＴＢ４は、画面更新情報Ｓ５を携帯端末６に遅滞なく送信することが可能となり、その結果、携帯端末６は、表示部２４に表示されている操作画面を遅滞なく更新することが可能となる。しかも、プル型通信プロトコルでは、イベントの発生の有無に拘わらず、携帯端末６からＳＴＢ４への定期的な画面更新情報Ｓ５の要求が必要となるが、プッシュ型通信プロトコルではこのような定期的な要求は不要であるため、携帯端末６とＳＴＢ４との間の通信トラフィックを軽減することが可能となる。
【００６０】
また、本実施の形態に係る映像受信システムによれば、要求処理部４５は、携帯端末６とＳＴＢ４との間でＷｅｂＳｏｃｋｅｔの接続が確立されなかった場合に、要求信号Ｓ７１，Ｓ７２，Ｓ７３，Ｓ７４，・・・によってＳＴＢ４に対して画面更新情報Ｓ５を定期的に要求する。これにより、ＳＴＢ４がＷｅｂＳｏｃｋｅｔに対応していない場合であっても、ＨＴＴＰのプル型通信によって携帯端末６がＳＴＢ４に対して画面更新情報Ｓ５を定期的に要求することにより、携帯端末６はＳＴＢ４から画面更新情報Ｓ５を受信することが可能となる。
【００６１】
また、本実施の形態に係る映像受信システムによれば、画面更新情報Ｓ５には、視聴年齢制限を解除するためのパスワード入力画面等の操作画面情報が含まれる。従って、視聴年齢制限が設定されているコンテンツをＳＴＢ４が受信した場合に、操作画面情報を含む画面更新情報Ｓ５をＳＴＢ４から携帯端末６に送信することにより、携帯端末６の表示部２４にパスワード入力画面等を表示させることが可能となる。
【００６２】
また、本実施の形態に係る映像受信システムによれば、画面更新情報Ｓ５には、視聴予約又は録画予約された番組の開始を通知する開始通知メッセージが含まれる。従って、視聴予約又は録画予約された番組の開始時又はその直前に、当該番組の開始通知メッセージを含む画面更新情報Ｓ５をＳＴＢ４から携帯端末６に送信することにより、携帯端末６の表示部２４に当該開始通知メッセージを表示させることが可能となる。
【００６３】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００６４】
４  ＳＴＢ
５  テレビ
６  携帯端末
１１，２１  信号処理部
１５，２５  プログラム
３２  検出処理部
３３，４３  受信処理部
３４，４４  送信処理部
３５  画面処理部
４１  表示処理部
４２  更新処理部
４５  要求処理部
【図１】
2012175606.tif 000003
【図２】
2012175606.tif 000004
【図３】
2012175606.tif 000005
【図４】
2012175606.tif 000006
【図５】
2012175606.tif 000007
【図６】
2012175606.tif 000008
【図７】
2012175606.tif 000009